(57)【要約】【課題】  トリガー式液体噴出器と容器の間に力を加えると破断する係止部材を装着し、噴出器と容器との装着を外したときに係止部材が破断したままとなることで、悪意の第三者による不正な開蓋を防止するとともに、不正行為の有無が直ちに視認できるようにしたトリガー式液体噴出容器を提供することを目的とする。【解決手段】  容器の口筒部に、取付キャップを介して噴出器を取着したトリガー式液体噴出容器において、噴出器のカバー体と容器の間に、弱化部を設けた係止部材を装着し、カバー体と容器を連結したことを特徴とする。【選択図】  図１
2006102569.tif 000002
【特許請求の範囲】
【請求項１】
容器の口筒部に、取付キャップを介して噴出器を取着したトリガー式液体噴出容器において、
噴出器のカバー体と容器の間に、弱化部を設けた係止部材を装着し、カバー体と容器を連結したことを特徴とするトリガー式液体噴出容器。
【請求項２】
係止部材は、容器に対して、取付キャップ、またはトリガー式液体噴出器を廻動させたときに、弱化部が切断され、係止部材を再装着不能としたことを特徴とする請求項１記載のトリガー式液体噴出容器。
【請求項３】
係止部材が、頂板と、該頂板に垂設された板体とからなり、
頂板は、噴出器のカバー体後壁に設けられた嵌合部の底壁に支持されており、
板体は、中間に弱化部が設けられ、下端部に容器胴部の上端部に突設された嵌合突部に嵌挿される嵌合孔が設けられていることを特徴とする請求項１、２記載のトリガー式液体噴出容器。
【発明の詳細な説明】
【技術分野】
【０００１】
本発明は、トリガー式液体噴出容器、とくに第三者による取付キャップの不正な開蓋を防止する機構に関するものである。
【背景技術】
【０００２】
容器の口筒部に、トリガー式液体噴出器を取付キャップにより装着したトリガー式液体噴出容器において、ノズルキャップやトリガーなどを機械的自動的にロックすることで、トリガーの誤った操作、不用意な操作を未然に阻止し、内容物の不用意の噴出を防止するトリガー式噴出器は従来より知られている（特許文献１参照）。
【特許文献１】特開２０００−１５７８９５
【発明の開示】
【発明が解決しようとする課題】
【０００３】
しかしながら、上記従来のトリガー式液体噴出容器では、流通時や店頭などで悪意の第三者が取付キャップを廻動させ、容器とトリガー式液体噴出器との装着を外して開蓋し、内容物の抜き取りなどの不正行為を行い、再びトリガー式液体噴出器を容器に装着しなおせば、販売者や消費者には不正行為がわからないという問題があった。
【０００４】
上記問題を解決するために、トリガー式液体噴出容器全体、または一部をフィルムで包装し、開蓋を防止するということも実施されているが、包装にコストがかかったり、流通時にフィルムが破けるということがあった。
【０００５】
本発明は、上記問題を解決することを課題として、トリガー式液体噴出器と容器の間に力を加えると破断する係止部材を装着し、噴出器と容器との装着を外したときに係止部材が破断したままとなることで、悪意の第三者による不正な開蓋を防止するとともに、不正行為の有無が直ちに視認できるようにしたトリガー式液体噴出容器を提供することを目的とする。
【課題を解決するための手段】
【０００６】
本発明は、上記の課題を解決するため、トリガー式液体噴出容器として、容器の口筒部に、取付キャップを介して噴出器を取着したトリガー式液体噴出容器において、噴出器のカバー体と容器の間に、弱化部を設けた係止部材を装着し、カバー体と容器を連結したことを特徴とする構成を採用する。
【０００７】
係止部材の実施例として、係止部材は、容器に対して、取付キャップ、またはトリガー式液体噴出器を廻動させたときに、弱化部が切断され、係止部材を再装着不能としたことを特徴とする構成を採用する。
【０００８】
また、係止部材の具体的な実施例として、係止部材が、頂板と、該頂板に垂設された板体とからなり、頂板は、噴出器のカバー体後壁に設けられた嵌合部の底壁に支持されており、板体は、中間に弱化部が設けられ、下端部に容器胴部の上端部に突設された嵌合突部に嵌挿される嵌合孔が設けられていることを特徴とする構成を採用する。
【発明の効果】
【０００９】
トリガー式液体噴出容器において、噴出器と容器とを弱化部を設けた係止部材によって連結したから、取付キャップ、または噴出器を廻動させたときに係止部材が破断されるようになった。
また、破断された係止部材は、容器と噴出器との間に再度装着することができなくなったので、不正行為を防止するとともに、不正行為があったときには、その有無を直ちに視認することができるようになった。
【発明を実施するための最良の形態】
【００１０】
次に、本発明のトリガー式液体噴出容器について、実施例をあげて説明する。
図１において、Ａは容器、Ｂは取付キャップ、Ｃは容器Ａに取付キャップＢを介して装着されるトリガー式液体噴出器、Ｄは容器Ａとトリガー式液体噴出器Ｃとの間に装着された係止部材である。
【００１１】
図１、２に示すように、容器Ａは、外周にねじを設けた口筒部１と、胴部の上端部後側に係止部材Ｄを装着するための嵌合突部２とを具えている。
【００１２】
トリガー式液体噴出器Ｃは、噴出器基体Ｃ１と、該噴出器基体Ｃ１の先端に取着されるノズル部材Ｃ２とからなる従来より周知の構造を有しており、取付キャップＢを介して容器Ａの口筒部１に取着されている。
【００１３】
噴出器基体Ｃ１のカバー体３内には、ピストン部材を具えたポンプ部４、吐出管（図示しない）とを内蔵しており、吐出管には、ノズル部材Ｃ２が嵌着されている。
また、カバー体３内には、トリガー５が廻動自在に取着されており、ポンプ部４のピストン部材は、トリガー５によって作動されるようになっている。
カバー体３は、上壁６と側壁７と後壁８とを具備している。
【００１４】
カバー体３の上壁６の後壁８側には、係止部材Ｄを装着するための円形の軸孔を具えた嵌合部９が設けられている。
嵌合部９の底壁１０中央には、係止部材Ｄを挿通する挿通孔１１が穿設されている。
【００１５】
図１、２に示すように、係止部材Ｄは、円形の頂板１５と、該頂板１５から垂設され、噴出器基体Ｃ１のカバー体３の底壁１０に穿設された挿通孔１１に挿通される板体１６とからなっており、頂板１５は、カバー体３に設けられた嵌合部９の底壁１０の上面に載置されるようになっている。
【００１６】
前記嵌合部９の軸孔には、載置された頂板１５を押さえるために、複数の突起を設けてもよい。
【００１７】
板体１６の下端部には、容器Ａの胴部上端部に設けられた嵌合突部２に嵌挿する嵌合孔１７が穿設されている。
板体１６の１つまたは複数の位置には、切込み部１８により切欠かれた弱化部１９が設けられ、弱化部１９は、板体１６をある程度の力で引張ると破断するように形成されている。
弱化部１９の位置は、任意でよいが、使用にあたっての利便性を考えると、カバー体３の内部の位置に設けられることが好ましい。
【００１８】
板体１６の長さは、容器Ａにトリガー式液体噴出器Ｃを装着した時の容器Ａの嵌合突部２と、トリガー式液体噴出器Ｃのカバー体３の嵌合部９との距離とほぼ同じか少し短く、図３に示すように、容器Ａとトリガー式液体噴出器Ｃに係止部材Ｄを装着する際に、板体１６の弱化部１９が破断しない程度に引張られる状態で形成されている。
【００１９】
次に、本発明のトリガー式液体噴出容器の組立てと、作用効果について説明する。
容器Ａの口筒部１に、トリガー式液体噴出器Ｃを取付キャップＢにより装着し、噴出器基体Ｃ１のカバー体３に設けられた嵌合部９の挿通孔１１に、上方より係止部材Ｄの板体１６を挿入していく。
【００２０】
図３に示すように、噴出器基体Ｃ１の嵌合部９の底壁１０上面に、係止部材Ｄの頂板１５下面を当接させるように頂板１５を嵌合部９に載置する。
最後に、容器Ａの嵌合突部２に係止部材Ｄの板体１６下端の嵌合孔１７を嵌合させる。
【００２１】
係止部材Ｄが、容器Ａとトリガー式液体噴出器Ｃに引張られる状態で装着されているので、取付キャップＢ、またはトリガー式液体噴出器Ｃを廻動させて、容器Ａとトリガー式液体噴出器Ｃとの装着を外そうとすると、容器Ａとトリガー式液体噴出器Ｃとの間の距離が離れていき、それに伴い、係止部材Ｄの板体１６がさらに引張られ、板体１６の弱化部１９が耐えられず破断してしまう。
【００２２】
係止部材Ｄが引張られ、破断されると、容器Ａからトリガー式液体噴出器Ｃの装着を外し、開蓋し、再度容器Ａにトリガー式液体噴出器Ｃを装着しても、係止部材Ｄが容器Ａとトリガー式液体噴出器Ｃに再装着できないので、販売者と消費者が、悪意の第三者による不正な開蓋を直ちに視認することができる。
【００２３】
使用にあたって、係止部材Ｄの板体１６下端の嵌合孔１７を、容器Ａの嵌合突部２から取外して上方に持ち上げ、カバー体３から抜くようにしてカバー体３と容器Ａとの連結を解くことができる。
弱化部１９が、カバー体３の内部に位置するように設けられている場合には、弱化部１９で破断すると、係止部材Ｄをカバー体３から取外すことなく、そのまま使用できる。
また、使用前に不正行為が行われている場合には、係止部材Ｄの状態を視ることによってその有無を確認することができる。
【００２４】
上記実施例では、係止部材と噴出器基体のカバー体を別部材として、係止部材を噴出器基体のカバー体の外周に挿通し、嵌合させたが、カバー体の後壁に、下端部が容器に設けた嵌合突部と嵌合する嵌合孔を具えた係止部材を連設するようにカバー体を成形してもよく、本発明の噴出器基体と係止部材の形状は、上記実施例に限定されない。
【００２５】
上記実施例では、係止部材を容器に嵌合孔と嵌合突部とを嵌合させて取着したが、本発明では、係止部材を噴出器基体のカバー体と容器の間に張った状態で装着できればよいので、係止部材と容器に嵌合孔と嵌合突部を設けなくても、接着剤などによって係止部材を容器に接着してもよく、或いはラベルを貼付することによって接着してもよい。
本発明の係止部材と容器の装着は、上記実施例に限定されない。
【産業上の利用可能性】
【００２６】
トリガー式液体噴出容器の噴出器と容器の装着を外すと、破断して跡の残る係止部材を装着したことによって、流通時や店頭などで、悪意の第三者が噴出器と容器の装着を外し、内容物に不正を行うことを防止することができるようになった。
【図面の簡単な説明】
【００２７】
【図１】本願発明のトリガー式液体噴出器容器の一部断面側面図である。
【図２】トリガー式液体噴出容器と係止部材の斜視図である。
【図３】トリガー式液体噴出容器に係止部材を装着した斜視図である。
【符号の説明】
【００２８】
Ａ          容器
Ｂ          取付キャップ
Ｃ          トリガー式液体噴出器
Ｃ１        噴出器基体
Ｃ２        ノズル部材
Ｄ          係止部材
１          口筒部
２          嵌合突部
３          カバー体
４          ポンプ部
５          トリガー
６          上壁
７          側壁
８          後壁
９          嵌合部
１０        底壁
１１        挿通孔
１５        頂板
１６        板体
１７        嵌合孔
１８        切込み部
１９        弱化部
【図１】
2006102569.tif 000003
【図２】
2006102569.tif 000004
【図３】
2006102569.tif 000005